(57)【要約】カートン（１６０）は、カートンの強度を向上するために、選択された位置で補強されている主ブランク（５）から形成される。該カートンは、内側カートン容量（１６３）を部分的に形成する、ガセット付コーナー（８０）を含む。該カートンの該内側容量は、該カートンを拡大形態にすることによって、変化させることができる。
2009535272.tif 000002
【特許請求の範囲】
【請求項１】
少なくとも主ブランクと、前記主ブランクに接合される副ブランクと、から形成されるカートンであって、前記カートンは、
ボトムパネルと、
第１のサイドパネルと、
第２のサイドパネルと、
第１のエンドパネルと、
第２のエンドパネルと、
前記ボトムパネルのそれぞれの隅部に配置され、隣接するサイドパネルとエンドパネルとの間に配置され、かつ前記隣接するサイドパネルと前記エンドパネルに折り曲げ可能に接続されている複数のガセットとを備え、
前記第１のサイドパネルと、前記第２のサイドパネルと、前記複数のガセットは、少なくとも前記主ブランクから形成され、
前記ボトムパネル、ならびに前記第１および第２のエンドパネルは、少なくとも前記主および副ブランクから形成されることを特徴とするカートン。
【請求項２】
前記第１のエンドパネルに折り曲げ可能に接続される第１のハンドルパネルと、
前記第２のエンドパネルに折り曲げ可能に接続される第２のハンドルパネルと、をさらに備え、前記第１および第２のハンドルパネルは、少なくとも前記主および副ブランクから形成されることを特徴とする請求項１に記載のカートン。
【請求項３】
前記第１のハンドルパネル内に形成される第１のハンドル機能部と、
前記第２のハンドルパネル内に形成される第２のハンドル機能部と、をさらに備えることを特徴とする請求項２に記載のカートン。
【請求項４】
前記第１のサイドパネルに折り曲げ可能に接続される第１のサイドトップパネルと、
前記第１のサイドトップパネルに折り曲げ可能に接続される第１の閉鎖パネルと、をさらに備えることを特徴とする請求項２又は３に記載のカートン。
【請求項５】
前記第２のサイドパネルに折り曲げ可能に接続される第２のサイドトップパネルと、
前記第２のサイドトップパネルに折り曲げ可能に接続される第２の閉鎖パネルと、
前記第２の閉鎖パネルに折り曲げ可能に接続される閉鎖フラップと、をさらに備えることを特徴とする請求項１乃至４に記載のカートン。
【請求項６】
前記第１のサイドパネルに折り曲げ可能に接続される第１のサイドトップパネルであって、前記第１のサイドトップパネルのそれぞれの端部は、前記ガセットの１つに折り曲げ可能に接続される第１のサイドトップパネルと、
前記第１のサイドトップパネルの遠位端部に折り曲げ可能に接続される第１の閉鎖パネルと、をさらに備えることを特徴とする請求項１乃至３に記載のカートン。
【請求項７】
前記第２のサイドパネルに折り曲げ可能に接続される第２のサイドトップパネルであって、前記第２のサイドトップパネルのそれぞれの端部は、前記ガセットの１つに折り曲げ可能に接続される第２のサイドトップパネルと、
前記第２のサイドトップパネルに折り曲げ可能に接続される第２の閉鎖パネルと、
前記第２の閉鎖パネルに折り曲げ可能に接続される閉鎖フラップと、をさらに備えることを特徴とする請求項６に記載のカートン。
【請求項８】
各ガセットは、少なくとも２つの折り曲げ可能に接続されるガセットパネルを備えることを特徴とする請求項１乃至７に記載のカートン。
【請求項９】
各ガセットは、少なくとも４つの折り曲げ可能に接続されるガセットパネルを備えることを特徴とする請求項１乃至８に記載のカートン。
【請求項１０】
前記カートンは、ほぼ平行６面体であることを特徴とする請求項１乃至９に記載のカートン。
【請求項１１】
ボトムパネルと、
前記ボトムパネルに折り曲げ可能に接続される第１のサイドパネルと、
前記ボトムパネルに折り曲げ可能に接続される第２のサイドパネルと、
前記ボトムパネルに折り曲げ可能に接続される第１のエンドパネルと、
前記ボトムパネルに折り曲げ可能に接続される第２のエンドパネルと、
前記第１のサイドパネルに折り曲げ可能に接続される第１のサイドトップパネルと、
前記第１のサイドトップパネルに折り曲げ可能に接続され、前記カートンの上部にわたり延在する第１の閉鎖パネルと、
前記第１の閉鎖パネル内の閉鎖用開口と、
前記第２のサイドパネルに折り曲げ可能に接続される第２のサイドトップパネルと、
前記第２のサイドトップパネルに折り曲げ可能に接続され、前記カートンの前記上部にわたり延在する第２の閉鎖パネルと、
前記第２の閉鎖パネルに折り曲げ可能に接続される閉鎖フラップであって、前記第１の閉鎖パネル内の前記閉鎖用開口に受け入れられるサイズの閉鎖用突起を含む閉鎖フラップと、を備えることを特徴とするカートン。
【請求項１２】
複数のガセットをさらに備え、該ガセットが、前記ボトムパネルのそれぞれの隅部に配置され、隣接するサイドパネルとエンドパネルとの間に配置され、かつ前記隣接するサイドパネルと前記エンドパネルに折り曲げ可能に接続されることを特徴とする請求項１１に記載のカートン。
【請求項１３】
前記第１のエンドパネルに折り曲げ可能に接続される第１のハンドルパネルと、
前記第２のエンドパネルに折り曲げ可能に接続される第２のハンドルパネルと、をさらに備えることを特徴とする請求項１１又は１２に記載のカートン。
【請求項１４】
前記第１のハンドルパネル内に形成される第１のハンドル機能部と、
前記第２のハンドルパネル内に形成される第２のハンドル機能部と、をさらに備えることを特徴とする請求項１３に記載のカートン。
【請求項１５】
前記第１の閉鎖パネル内に少なくとも部分的に形成される少なくとも１つのハンドル受入開口をさらに備えることを特徴とする請求項１４に記載のカートン。
【請求項１６】
それぞれのハンドルパネルは、前記ガセットの少なくとも２つに接着されることを特徴とする請求項１３乃至１５に記載のカートン。
【請求項１７】
前記第１のサイドトップパネルおよび前記第２のサイドトップパネルは、前記カートンの前記上部にわたり延在することを特徴とする請求項１１乃至１６に記載のカートン。
【請求項１８】
それぞれのガセットは、少なくとも２つの折り曲げ可能に接続されるガセットパネルを備えることを特徴とする請求項１２に記載のカートン。
【請求項１９】
液密ボトムレセプタクルが、前記カートンの底部内に画定されることを特徴とする請求項１１乃至１８に記載のカートン。
【請求項２０】
前記カートンは、ほぼ平行６面体であることを特徴とする請求項１１乃至１９に記載のカートン。
【請求項２１】
少なくとも主ブランクおよび前記主ブランクに接合される副ブランクから形成される、カートンブランクであって、
ボトムパネルと、
前記ボトムパネルの第１の側部に折り曲げ可能に接続される第１のサイドパネルと、
前記ボトムパネルの第２の側部に折り曲げ可能に接続される第２のサイドパネルと、
前記ボトムパネルの第１の端部に折り曲げ可能に接続される第１のエンドパネルと、
前記ボトムパネルの第２の端部に折り曲げ可能に接続される第２のエンドパネルと、
前記第１のサイドパネルに折り曲げ可能に接続される第１のサイドトップパネルと、
前記第２のサイドパネルに折り曲げ可能に接続される第２のサイドトップパネルと、
前記ボトムパネルのそれぞれの隅部に配置され、隣接するサイドパネルとエンドパネルとの間に配置され、かつ前記隣接するサイドパネルと前記エンドパネルに折り曲げ可能に接続されている複数のガセットとを備え、
前記第１のサイドパネルと、前記第２のサイドパネルと、前記複数のガセットは、少なくとも前記主ブランクから形成され、
前記ボトムパネル、ならびに前記第１および第２のエンドパネルは、少なくとも前記主および副ブランクから形成されることを特徴とするカートンブランク。
【請求項２２】
前記第１のサイドトップパネルに折り曲げ可能に接続される第１の閉鎖パネルと、
前記第１の閉鎖パネル内の閉鎖用開口と、
前記第２のサイドトップパネルに折り曲げ可能に接続される第２の閉鎖パネルと、
前記第２の閉鎖パネルに折り曲げ可能に接続される閉鎖フラップであって、前記第１の閉鎖パネル内の前記閉鎖用開口に受け入れられるサイズの閉鎖用突起を含む閉鎖フラップと、をさらに備えることを特徴とする請求項２１に記載のブランク。
【請求項２３】
前記第１のエンドパネルに折り曲げ可能に接続される、第１のハンドルパネルと、
前記第２のエンドパネルに折り曲げ可能に接続される第２のハンドルパネルと、をさらに備え、前記ハンドルパネルは、少なくとも前記主および副ブランクから形成されることを特徴とする請求項２１又は２２に記載のブランク。
【請求項２４】
前記第１のハンドルパネル内に形成される第１のハンドル機能部と、
前記第２のハンドルパネル内に形成される第２のハンドル機能部と、をさらに備えることを特徴とする請求項２３に記載のブランク。
【請求項２５】
それぞれのガセットは、少なくとも２つの折り曲げ可能に接続されるガセットパネルを備え、前記ガセットパネルの少なくとも１つは、前記サイドトップパネルの１つに折り曲げ可能に接続されることを特徴とする請求項２１乃至２４に記載のブランク。
【請求項２６】
ボトムパネルと、
前記ボトムパネルに折り曲げ可能に接続される第１のサイドパネルと、
前記ボトムパネルに折り曲げ可能に接続される第２のサイドパネルと、
前記ボトムパネルに折り曲げ可能に接続される第１のエンドパネルと、
前記ボトムパネルに折り曲げ可能に接続される第２のエンドパネルと、
前記第１のサイドパネルに折り曲げ可能に接続される第１のサイドトップパネルと、
前記第２のサイドパネルに折り曲げ可能に接続される第２のサイドトップパネルと、
前記ボトムパネルのそれぞれの隅部に配置され、隣接するサイドパネルとエンドパネルとの間に配置され、かつ前記隣接するサイドパネルと前記エンドパネルに折り曲げ可能に接続されている複数のガセットと、
前記第１のサイドトップパネルに折り曲げ可能に接続される第１の閉鎖パネルと、
前記第１の閉鎖パネル内の閉鎖用開口と、
前記第２のサイドトップパネルに折り曲げ可能に接続される第２の閉鎖パネルと、
前記第２の閉鎖パネルに折り曲げ可能に接続される、閉鎖フラップであって、前記第１の閉鎖パネル内の前記閉鎖用開口に受け入れられるサイズの閉鎖用突起を含む閉鎖フラップと、を備えることを特徴とするカートンブランク。
【請求項２７】
前記第１のエンドパネルに折り曲げ可能に接続される第１のハンドルパネルと、
前記第２のエンドパネルに折り曲げ可能に接続される第２のハンドルパネルと、をさらに備えることを特徴とする請求項２６に記載のブランク。
【請求項２８】
前記第１のハンドルパネル内に形成される第１のハンドル機能部と、
前記第２のハンドルパネル内に形成される第２のハンドル機能部と、をさらに備える、請求項２７に記載のブランク。
【請求項２９】
それぞれのガセットは、少なくとも２つの折り曲げ可能に接続されるガセットパネルを含み、それぞれのガセットは、前記エンドパネルの１つと、前記サイドパネルの１つと、前記サイドトップパネルの１つに折り曲げ可能に接続されることを特徴とする請求項２６乃至２８に記載のブランク。
【請求項３０】
カートンを組み立てる方法であって、
ボトムパネルと、
第１のサイドパネルと、
第２のサイドパネルと、
前記ボトムパネルに折り曲げ可能に接続される第１のエンドパネルと、
前記第１のエンドパネルに折り曲げ可能に接続される第１のハンドルパネルと、
前記ボトムパネルに折り曲げ可能に接続される第２のエンドパネルと、
前記第２のエンドパネルに折り曲げ可能に接続される第２のハンドルパネルと、
前記第１のサイドパネルに折り曲げ可能に接続される第１のサイドトップパネルと、
前記第２のサイドパネルに折り曲げ可能に接続される第２のサイドトップパネルと、
前記ボトムパネルのそれぞれの隅部に配置され、隣接するサイドパネルとエンドパネルとの間に配置され、かつ前記隣接するサイドパネルと前記エンドパネルに折り曲げ可能に接続される複数のガセットと、
前記第１のサイドトップパネルに折り曲げ可能に接続される第１の閉鎖パネルと、
前記第２のサイドトップパネルに折り曲げ可能に接続される第２の閉鎖パネルと、を備える、カートンブランクを設けるステップと、
前記ブランクから、ほぼ平行６面体の上部開放形状を形成するステップと、
前記ほぼ平行６面体の上部開放形状に物品を充填するステップと、
前記ガセットの少なくとも１つの少なくとも一部分を、前記第１のハンドルパネルに接着するステップと、
少なくとも前記第１および第２の閉鎖パネルから、上部閉鎖部を形成するステップと、を含むことを特徴とする方法。
【請求項３１】
前記ガセットの少なくとも１つの少なくとも一部分を、前記第２のハンドルパネルに接着するステップをさらに含むことを特徴とする請求項３０に記載の方法。
【請求項３２】
前記上部閉鎖部は、前記第１および第２のサイドトップパネルをさらに備えることを特徴とする請求項３０又は３１に記載の方法。
【請求項３３】
前記第１のハンドルパネルと前記第１のエンドパネルを接続する折り線に対して、前記第１のハンドルパネルを折り曲げ、前記第１のハンドルパネルを、前記ガセットの２つの部分と接触させるステップをさ  らに含むことを特徴とする請求項３０乃至３２に記載の方法。
【請求項３４】
前記第１のハンドルパネルと前記第１のエンドパネルを接続する折り線に対して、前記第１のハンドルパネルが折り曲げられる際に、前記ガセットの少なくとも１つは、折り曲げられる折り線で、隣接するサイドトップパネルに接続されることを特徴とする請求項３３に記載の方法。
【請求項３５】
前記ガセットそれぞれの少なくとも一部分を、前記エンドパネルの１つに接着するステップをさらに含むことを特徴とする請求項３０乃至３４に記載の方法。
【請求項３６】
上部閉鎖部を形成するステップは、閉鎖用突起を、前記第１の閉鎖パネル内に形成される閉鎖用開口に係合するステップを含むことを特徴とする請求項３０乃至３５に記載の方法。
【請求項３７】
それぞれのガセットは、少なくとも２つの折り曲げ可能に接続されるガセットパネルを備え、前記エンドパネルの１つと、前記サイドパネルの１つと、前記サイドトップパネルの１つに折り曲げ可能に接続されることを特徴とする請求項３０乃至３６に記載の方法。
【請求項３８】
カートンを利用する方法であって、
ボトムパネルと、
第１のサイドパネルと、
第２のサイドパネルと、
第１のエンドパネルと、
第２のエンドパネルと、
前記ボトムパネルのそれぞれの隅部に配置され、隣接するサイドパネルとエンドパネルとの間に配置され、かつ前記隣接するサイドパネルと前記エンドパネルに折り曲げ可能に接続される複数のガセットと、
当初は、前記第１のサイドパネルに折り曲げ可能に接続される第１のサイドトップパネルと、前記第２のサイドパネルに折り曲げ可能に接続される第２のサイドトップパネルとから成り、前記カートンの上部にわたり延在する上部閉鎖部と、を備えるカートンを設けるステップと、
上部閉鎖部を開放するステップと、
前記第１のサイドトップパネルをほぼ上向きに延在させ、前記第２のサイドトップパネルをほぼ上向きに延在させ、前記カートンを拡大形態にするステップとを含み、
少なくとも前記第１のサイドトップパネルと、前記第２のサイドトップパネルと、前記ガセットとが接続されて前記カートンの拡大した内部容積の上部分が画定されることを特徴とする方法。
【請求項３９】
前記上部閉鎖部を開放した後に、前記カートンの上部を閉鎖するステップをさらに含むことを特徴とする請求項３８に記載の方法。
【請求項４０】
前記カートンは、前記拡大形態にする前に、第１の高さを有し、前記拡大形態において、第２の高さを有し、前記第２の高さは、前記第１の高さを上回ることを特徴とする請求項３８又は３９に記載の方法。
【請求項４１】
前記第２の高さは、前記第１の高さを少なくとも１０％上回ることを特徴とする請求項４０に記載の方法。
【請求項４２】
前記上部閉鎖部は、閉鎖用開口と、前記閉鎖用開口と係合可能な閉鎖フラップと、をさらに備えることを特徴とする請求項３８乃至４１に記載の方法。
【請求項４３】
前記カートンは、前記第１のエンドパネルに接続される、第１のハンドルパネルと、前記第２のエンドパネルに接続される第２のハンドルパネルと、をさらに含み、前記第１および第２のハンドルパネルによって、前記カートンを持ち運ぶステップをさらに含むことを特徴とする請求項３８乃至４２に記載の方法。
【請求項４４】
各ガセットは、少なくとも２つの折り曲げ可能に接続されるガセットパネルを備え、各ガセットは、前記エンドパネルの１つと、前記サイドパネルの１つと、前記サイドトップパネルの１つとに折り曲げ可能に接続されることを特徴とする請求項３８乃至４３に記載の方法。
【発明の詳細な説明】
【関連出願の記述】
【０００１】
本願は、２００６年５月１日に出願され、その全体が参照として本明細書に組み込まれる、米国特許仮出願第６０／７９６，５６６号の利益を主張する。
【関連出願】
【０００２】
本願は、本明細書で提示される場合、その全体が参照として本明細書に組み込まれる、２００６年２月１日に出願された米国特許出願シリアル番号第１１／３４５，１８５号、名称「ガセット付カートン」に関する。
【背景技術】
【０００３】
分配用カートンは、既知である。従来の分配用カートンは、中に形成された分配機能(dispensing feature)を備えたトップパネルを有する場合がある。例えば、カートンを開放する際、トップパネルまたは別のパネルから分配することができる、飲料容器等の物品を収容するために、このようなカートンは使用することができる。典型的には、従来のカートンは、封入した容器を冷たく保つために、冷蔵しなければならない。カートンを冷蔵庫から取り出して容器を分配するとき等、カートンがもはや冷蔵されていない場合、容器は温まる場合があり、望ましくない。従って、容器は、再び冷蔵するか、ないしは別の方法で冷却しなければならない。さらに、従来のカートンに含まれる分配機能では、一度開放されると、カートンを確実に再閉鎖できなくなってしまう場合がある。従って、一度カートンが開放されると、カートン内に保持される物品が、気付かない間に落ちる可能性がある。
【０００４】
従来のカートンは、典型的には、単層の板紙または同様な材料から形成される。持ち運びハンドルが、カートンの１つ以上のパネルに形成され、カートンを持ち運ぶために使用される場合がある。多くの場合、カートンは、飲料容器等の比較的重い物品を運ぶために使用されるため、カートンのハンドルまたはその他の部分の強度を、カートンの荷重に適合するために、向上しなければならない。板紙カートンの荷重負担能力を向上するための従来の方法は、異なる、より頑丈な板紙材料のブランクからカートンを作成するか、または同一ではあるが、より大きな厚みまたはキャリパを有するカートン材料からブランクを作成することである。このような従来の方法は、典型的には、カートンの製造に関連するコストを増加させ、同時に、製造の材料費は一般に、ブランク全体の強度および／または厚さを増加するコストに従って増加する。しかしながら、ブランクのいくつかの部分は、耐荷重性を有していない場合があり、ブランクの非耐荷重性部分の強度の向上に関連する追加のコストが無駄となる。
【発明の開示】
【０００５】
本発明の第１実施形態によると、カートンは、少なくとも主ブランクと、主ブランクに接合される副ブランクと、から形成される。カートンは、第１のサイドパネル、ボトムパネル、第２のサイドパネル、第１のエンドパネル、第２のエンドパネル、および複数のガセットを備える。１つのガセットが、ボトムパネルのそれぞれの隅部に配置され、隣接するサイドパネルとエンドパネルとの間に配置され、且つ折り曲げ可能に接続され、カートンの隅部を封止または閉鎖する。
【０００６】
副ブランクは、選択された部分で、カートンが多重になるように構成されてもよい。第１の実施形態によると、第１のサイドパネル、第２のサイドパネル、および複数のガセットは、少なくとも主ブランクから形成され、ボトムパネルならびに第１および第２のエンドパネルは、主および副ブランクの重なり合う部分から形成される。第１の実施形態の一態様によると、副ブランクは、多重カートンの強度および荷重負担能力を向上するために、主ブランクを補強する。副ブランクは、多数の所望位置で、主ブランクを補強するように、構成することができる。主ブランクの特定の領域を選択的に補強することにより、比較的少量の板を使用することで、高荷重負担能力を有する高強度カートンを作成することができる。
【０００７】
第１実施形態の態様によると、上部閉鎖部は、開放することができ、開放された上部端部を通して、氷、冷水、追加容器、および／またはその他の物品をカートン内に置くことができる。カートンの内部容積は、溶けた氷から生じる水、濃縮物、その他の液体等の液体、および例えば、廃物、粒子状物質等の物品等を保持するために使用することができる。
【０００８】
第１実施形態の別の態様によると、カートンは、サイドパネルに折り曲げ可能に接続される、サイドトップパネルを含む。カートンは、サイドパネルがほぼ上向きに延在してカートンの増加した内部容積を部分的に画定する、拡大形態にすることができる。閉鎖パネルは、サイドトップパネルに折り曲げ可能に接続することができる。閉鎖パネルおよびサイドトップパネルは、カートンを拡大形態にする前に、カートンの上部を閉鎖する。カートンが拡大形態である際、閉鎖パネル単体を、カートンの上部を閉鎖するために使用することができる。
【０００９】
第１実施形態の別の態様によると、カートンは、カートンが拡大形態である際、内側カートン容量を部分的に画定するハンドルパネルを含むことができる。カートンが、上部開放拡大形態である際、およびカートンが、上部閉鎖拡大形態である際、カートンを開放する前にカートンを持ち運ぶために、ハンドルパネルは使用することができる。
【００１０】
第１実施形態のさらに別の態様によると、カートンのボトムレセプタクルは、カートンのボトムパネルの上方に延在する高さを有し、その下に接着剤またはその他の粘着剤で閉じられたシームがないように構成することができる。従って、ボトムレセプタクルは液密である。
【００１１】
本発明のその他の態様、特徴、および詳細は、以下の発明の詳細な説明を参照し、図を併用すること、および添付の特許請求の範囲から、より完全に理解することができる。
【００１２】
一般的な実施によると、以下に記載される図面の様々な特徴は、必ずしも一定の縮尺ではない。図面内の様々な特徴および要素の寸法は、本発明の実施形態をより明確に図示するために、拡大または縮小されている場合がある。
【発明を実施するための最良の形態】
【００１３】
本発明の第１実施形態は、概して、飲料容器等の物品を保管し、分配するために適したカートンに関する。カートンには、例えば、液体、氷、またはその他の冷却物を、カートンの下部に収容するために適したボトムレセプタクルを設ける。一例示的な実施形態では、カートン内に保持される飲料容器を冷却するために、カートンの開放された上部に、氷を追加することができる。氷が溶けるとともに、結果として生じる流出水のすべてまたは一部分がボトムレセプタクル内に保持されてもよい。また、カートンの開放された上部を閉鎖するために、閉鎖パネルを互いに係合することができる再閉鎖機能部を、カートンは含むこともできる。補強副ブランクは、カートンの荷重負担能力を向上するために、カートンの底部に渡り、カートンのハンドルに向かって上向きに延在することができる。
【００１４】
本カートン実施形態内に収容される物品には、例えば、ペタロイドボトル飲料容器、金属製飲料缶、ガラスまたはプラスチックボトル等の容器、もしくは、例えば、食料品およびその他の製品の梱包に使用されるもの等のその他の容器を含むことができる。以下の詳細な説明は、本発明の範囲を制限するためではなく、図示する目的のために、ほぼ円筒状の金属製飲料容器がカートン内に配置された状態を記載する。本明細書では、「側部」、「端部」「底部」、「下方」、「上方」、および「上部」という用語は、完全に組み立てられた、直立状態のカートンに関して決定される方向を示す。
【００１５】
図１は、本発明の第１の実施形態による、カートン１６０（図１１に図示される）を形成するために使用される、多重ブランク８の平面図である。ブランク８は、主ブランク５と、接着、積層、ないしは別の方法で主ブランク５に接合される副ブランク６と、から形成される。主ブランク５の内部表面または底面を、図１に見ることができる。図示される実施形態では、副ブランク６は、外側に接着されてもよいが、主ブランク５の内側に接着される。
【００１６】
多重ブランク８は、多重ブランク８となる接合された副および主ブランク６ならびに５が、実質的に重なり合う部分を含む意味で「多重」である。また、副および主ブランク６、５の重なり合う表面の大部分は、互いに隣接して接着されてもよい。例えば、ブランク５および６は、異なる周囲長または「設置面積」を有し、完全に重なり合う必要は無いが、少なくとも副ブランク６の表面のほぼ全体が、主ブランク５の内側に隣接する、および／または接着されてもよい。
【００１７】
図１に示されるように、ブランク８は、横軸中心線ＣＴおよび長手軸中心線ＣＬに対して、対称またはほぼ対称であってもよい。また主ブランク５および副ブランク６は、横軸中心線ＣＴおよび長手軸中心線ＣＬに対して、対称であってもよい。従って、図面内の特定の要素は、ブランク８の部分的または完全な対称を反映するために、同一または類似の参照番号で示され得る。
【００１８】
図２Ａは、主ブランク５の平面図であり、図２Ｂは、補強副ブランク６の平面図である。図２Ａを参照すると、主ブランク５はそれぞれ、ボトムパネル１０と、横軸方向の折り線２１で、ボトムパネル１０のそれぞれの側部に、折り曲げ可能に接続される、第１および第２のサイドパネル２０と、横軸方向の折り線３１で、第１のサイドパネル２０に折り曲げ可能に接続される、第１のサイドトップパネル３２と、横軸方向の折り線４１で、第１のサイドトップパネル３２に折り曲げ可能に接続される第１の上部閉鎖パネル４２と、横軸方向の折り線３３で、第２のサイドパネル２０に折り曲げ可能に接続される第２のサイドトップパネル３４と、横軸方向の折り線４３で、第２のサイドトップパネル３４に折り曲げ可能に接続される第２の上部閉鎖パネル４４と、を備える。エンドパネル６０は、長手軸方向の折り線６２で、ボトムパネル１０のそれぞれの端部に折り曲げ可能に接続される。ハンドルパネル７０は、長手軸方向の折り線７１で、それぞれのエンドパネル６０の遠位端部に折り曲げ可能に接続される。ハンドルパネル７０のそれぞれに、長円ハンドル機能部７５が形成されてもよい。その他のハンドル機能部がハンドルパネル７０に組み込まれてもよい。本明細書では、「端部」および「側部」という用語は、参照を容易にするために使用され、パネル２０、６０の相対的サイズを暗に示さない。
【００１９】
コーナーガセット８０は、ボトムパネル１０の各隅部に配置され、隣接するサイドパネル２０とエンドパネル６０との間に延在する。それぞれのコーナーガセット８０は、横軸方向の折り線２１で、エンドパネル６０に折り曲げ可能に接続される、第１のガセットパネル８２と、斜め折り線８４で、第１のガセットパネル８２に折り曲げ可能に接続される第２のガセットパネル８６と、横軸方向の折り線３１または３３で、第２のガセットパネル８６に折り曲げ可能に接続される第３のガセットパネル９０と、斜め折り線９２で、第３のガセットパネル９０に折り曲げ可能に接続される第４のガセットパネル９４と、を備える。第１および第２のガセットパネル８２、８６は、それらの縁部、例えば弓形または湾曲端９６によって画定され得る。
【００２０】
第１の閉鎖パネル４２は、その中に形成される閉鎖用開口４８を有してもよい。閉鎖用開口４８は、例えば、主ブランク５内の突き出し部分、切り出し部分、スリットによって、またはその他のブランク５内の破壊可能な破断線によって、画定することができる。第２の閉鎖パネル４４は、第２の閉鎖パネル４４の遠位端部で、横軸方向の折り線５１の対及び折り線５１間に延在する湾曲切断部５４によって画定される閉鎖パネルまたはフラップ５０を有してもよい。湾曲切断部５４は、第２の閉鎖パネル４４から突き出した閉鎖用突起５６を画定する。第１の閉鎖パネル４２内の閉鎖用開口４８は、組み立てられたカートン１６０（図１３）で、閉鎖用突起５６を受け入れるためのサイズになっている。
【００２１】
長手方向に延在するハンドル受入開口４６が、パネル３２、４２内およびパネル３４、４４内に形成されてもよい。ハンドル受入開口４６は、組み立てられたカートン１６０（図１１）のハンドルから、ハンドルフラップを受け入れるためのサイズになっている。ハンドル受入開口４６は、例えば、ブランク５内の突き出し部分、切り出し部分、スリットによって、または主ブランク５内のその他の破壊可能な破断線によって画定することができる。
【００２２】
図２Ｂを参照すると、内部補強副ブランク６は、主ブランク５の１つ以上の選択された部分に重なる、および／またはそれらを補強するように構成される。副ブランク６は、例えば、中心線ＣＬ、ＣＴに対して対称であってもよい。副ブランク６は、例えば、主ブランク５（図２Ａ）のボトムパネル１０と同一サイズ、またはわずかに小さくてもよい、副ボトムパネル１０２を備える。第１および第２の副エンドパネル１０４は、長手方向折り線１０３で、副ボトムパネル１０２のそれぞれの端部に折り曲げ可能に接続され、副ハンドルパネル１０６は、長手方向折り線１０５で、それぞれの副エンドパネル１０４の遠位端部に折り曲げ可能に接続される。また、図２Ａを参照すると、それぞれの副エンドパネル１０４は、主ブランク５のエンドパネル６０にほぼ対応するサイズおよび形状であってもよく、副ハンドルパネル１０６は、ハンドルパネル７０にほぼ対応するサイズおよび形状であってもよい。それぞれの副ハンドルパネル１０６は、形状および機能において、重なり合うハンドルパネル７０内のハンドル機能部７５にほぼ対応する、副ハンドル機能部１０８を有してもよい。ハンドル機能部７５、１０８は、組み立てられたカートン１６０（図１１に図示される）において、重なり合い、協働して、２重ハンドル１４４を形成する。
【００２３】
図１、２Ａ、および２Ｂを参照すると、多重ブランク８は、副ブランク６を主ブランク５の内部に接着することによって形成されてもよい。副ブランク６のパネル１０６、１０４、１０２、１０４、１０６のそれぞれは、主ブランク５の対応するパネル７０、６０、１０、６０、７０にそれぞれ接着されてもよい。主および副ブランク５、６を互いに接着するために、接着剤ストリップ、塗布用熱溶解接着剤、またはその他の粘着剤および手段を使用することができる。副ブランク６内の長手方向折り線１０５、１０３、１０３、１０５はそれぞれ、重なり合う折り線に沿って多重ブランク８を折り曲げることができるように主ブランク５内の長手方向折り線７１、６２、６２、７１と、ほぼ一致する。
【００２４】
多重ブランク８をカートン１６０に組み立て、カートン１６０に物品を積み込む例示的な方法を、図１乃至図１１を参照し、記載する。
【００２５】
図３は、多重ブランク８がカートン１６０に組み立てられる、例示的な組み立て方法における、最初の組み立てステップを図示する。また、図２Ａも参照すると、パネル３４、４４、５０は、横軸方向の折り線３３に対して、曲線矢印Ａの方向に折り返される。パネル３２、４２は、横軸方向の折り線３１（図３では見えず）に対して折り返される。第１および第２のサイドパネル２０は、横軸方向の折り線２１に沿って曲線矢印Ｂの方向に内側に折り曲げられる。第１のガセットパネル８２の裏面は、従って、副ブランク６の副エンドパネル１０４に接触し、接着される。ガセットパネル８２を、例えば、塗布用接着剤、接着剤ストリップ、その他の粘着剤、またはその他の手段によって、副エンドパネル１０４の向かい合う面に接着することができる。折り線２１、３１、３３で折り曲げるステップは、別個のステップとして行われてもよく、または折り線３１、３３での折り曲げは、横軸方向の折り線２１での折り曲げと同時に行われてもよい。
【００２６】
図４を参照すると、ブランク８は、主ブランク５の長手方向折り線６２および副ブランク６内の対応する長手方向折り線１０３（図４では見えず）に対して、曲線矢印Ｃの方向に内側に折り曲げられる。図４は、ブランク８の一方の端部での折り曲げ操作を図示する。長手方向折り線６２、１０３で、ブランク８を破壊前の状態にする(pre-break)（例えば、ゆるくする(loose)）ために、ブランクの端部のそれぞれで折り曲げる。
【００２７】
図５を参照すると、部分的に組み立てられた多重ブランク８は、サイドパネル２０（図５では見えず）を上向きに引っ張り、それらを横軸方向の折り線２１で、曲線矢印Ｄの方向に回転することによって開かれる。またサイドパネル２０ならびに取り付けられたパネル３２、４２、および３４、４４を、それらがボトムパネル１０に対してほぼ鉛直または直立に延在するように、折り線２１に対して上方向に回転する。ほぼ鉛直方向のパネル３２、４２および３４、４４が図６に示される。
【００２８】
図６を参照すると、ブランク８の一方の端部は、主ブランク５内の長手方向折り線６２および副ブランク６の長手方向折り線１０３に対して、曲線矢印Ｅの方向に折り曲げられて示される。重なり合ったエンドパネル６０、１０４および重なり合ったハンドルパネル７０、１０６は、直立またはほぼ直立している。ブランク８の反対側の端部は、同様に折り曲げられる。図６では、主ブランク５のボトムパネル１０およびエンドパネル６０はそれぞれ、副ブランク６のパネル１０２、１０４によって覆われるため、参照番号１０、６０は、丸括弧内に記載される。図６に示されるように、斜め折り線８４に隣接するガセットパネル８２の自由部分８３は、副エンドパネル１０４に接着されない状態のままであってもよく、副エンドパネル１０４から離れて曲げられてもよい。部分的に組み立てられたカートンは、エンドパネル６０、１０４が直立し、開放している上部を有する、ほぼ平行６面体形状であり、物品を積み込むことができる。
【００２９】
図７を参照すると、部分的に組み立てられたカートンには、物品を充填することができる。図示される実施形態では、部分的に組み立てられたカートンには、３×６×１の配置で配置される、ほぼ円筒状の１２オンスの飲料容器Ｃが１８個積み込まれる。主および副ブランク５、６の重なり合ったエンドパネル６０、１０４（それぞれ、図２Ａ、２Ｂに示される）は、カートンのそれぞれの端部で、補強された２重の第１および第２のエンドパネル１１０を形成し、重なり合ったボトムパネル１０、１０２（それぞれ、図２Ａ、２Ｂ）は、補強された２重ボトムパネル１２０を形成する。重なり合ったハンドルパネル７０、１０６は、補強された２重ハンドルパネル１４０を形成する。重なり合ったハンドルパネル７０、１０６それぞれの重なり合うハンドル機能部７５、１０８（それぞれ、図２Ａ、２Ｂ）は、互いに整列し、ともに接着されて、それぞれのハンドルパネル１４０内に、２重ハンドル１４４を形成してもよい。
【００３０】
図８を参照すると、第２のサイドトップパネル３４、及び取り付けられたパネル４４、５０が、横軸方向の折り線３３に対して、曲線矢印Ｆの方向にカートンの開放されている上部上に折り曲げられた状態で、部分的に組み立てられたカートンの一方の端部が示されている。次いで、第１のサイドトップパネル３２および第１の閉鎖パネル４２は、パネル３４、４４と重なり合うように、横軸方向の折り線３１に対して折り曲げられる。あるいは、第１のサイドトップパネル３２は、折り線３１に対して折り曲げられ、続いて第２のサイドトップパネル３４が折り線３３に対して折り曲げられてもよい。パネル３２、３４が内側に折り曲げられると、ガセットパネル９０、９４は、斜め折り線９２に対して、互いに向かって折り曲げられる。部分的に組み立てられたカートンの反対側の端部は、同様に折り曲げられる。
【００３１】
図９を参照すると、第３のガセットパネル９０および第４のガセットパネル９４（図８に図示）が長手方向折り線６２に対して、曲線矢印Ｇの方向に折り曲げられた状態で、部分的に組み立てられたカートンの一方の端部が示されている。部分的に組み立てられたカートンの反対側の端部が、同様に折り曲げられる。同時に、第１のサイドトップパネル３２および第１の閉鎖パネル４２の一方または両方を、第２のサイドトップパネル３４および第２の閉鎖パネル４４の一方または両方に接着することができる。パネル３２、３４、４２、４４は、カートンの上部分を閉鎖する。
【００３２】
図１０を参照すると、２重ハンドルパネル１４０が曲線矢印Ｈの方向に折り曲げられた状態で、部分的に組み立てられたカートンの一方の端部が示されている。また図９を参照すると、ハンドルパネル１４０の内側に向いている面は、これにより、ガセットパネル９０に接触するようになる。ハンドルパネル１４０がそこに接着されるように、接着剤またはその他の粘着剤がガセットパネル９０に塗布されてもよい。カートンの反対側の端部は、同様に折り曲げられ、接着され、図１１に図示される容器Ｃを収容するほぼ平行６面体のカートン１６０が形成される。
【００３３】
図１１を参照すると、第１のサイドトップパネル３２および第１の閉鎖パネル４２は、第２のサイドトップパネル３４および第２の閉鎖パネル４４に重なる。尚、位置方向は反転されてもよい。パネル３２、４２、３４、４４は、例えば、接着剤等の粘着剤によって、互いに固定し、上部閉鎖部１５０を形成することができる。従って、カートンの上部１６０は、閉鎖またはほぼ閉鎖される。図１１に示されるように、ハンドルパネル１４０は、ほぼ上向きにエンドパネル１１０から持ち運び位置に延在する。カートン１６０は、ハンドルパネル１４０によって画定される補強された多重ハンドル１４４を使用して、持ち運ぶことができる。
【００３４】
ハンドルパネル１４０を矢印Ｉの方向に回動させて、カートン１６０の端部それぞれのハンドル受入開口４６にハンドル１４４のハンドルフラップ１４６を押し込むことによって、開放しているカートン上部上の位置に上部閉鎖部１５０を備えるパネル３２、４２、３４、４４を、代替的または付加的に保持することができる。この構造では、パネル３２、４２、３４、４４は、カートンの上部１６０に渡り、ほぼ平坦であり、上部閉鎖部１５０を形成してもよい。ハンドル受入開口４６に押し込まれたハンドルフラップ１４６は、例えば、上部および閉鎖パネル３２、４２、３４、４４を、カートン上部上の閉鎖位置に維持する役目を果たし、パネル３２、４２、３４、４４を閉鎖位置に保持するために接着剤を必要としなくなる。
【００３５】
図１２は、上部閉鎖部１５０が開放され、カートンの中身の上に氷が注がれ、氷がカートンの内部容積１６３に収容された、拡大形態のカートン１６０を図示する。カートン１６０は、例えば、パネル３２、４２が上向きかつ外側に矢印Ｊの方向に引っ張られるように、第１の閉鎖パネル４２を引っ張ることによって、開放されてもよい。次いで、パネル３４、４４は、もう一方の矢印Ｊの方向に引き戻されてもよい。また図８を参照すると、折り線３１、３３に対して、パネル３２、３４がそれぞれ外側に折り曲げられると、ガセットパネル９４は、ガセットパネル９０（ハンドルパネル１０６に付着される）に対して外側に斜め折り線９２に対して折れ曲がる。
【００３６】
図１２に示されるように、カートン上部が開放された状態で、例えば、氷、冷水、またはその他の冷却手段が、容器Ｃに接触するように、カートン１６０の内部容積１６３に導入されてもよい。図１２において、閉鎖したカートン１６０の第１の高さＨＣ１が、サイドパネル２０の高さとほぼ一致するように示されている。高さＨＣ１は、図１１に示されるように、カートンがパネル３２、４２、３４、４４によって閉鎖される際のカートンの高さに対応する。第２の高さＨＣ２は、図１２に示されるように、パネル３２、４２、３４、４４が上向きに延在する際、カートン１６０の内部容積の高さを示す。パネル３２、３４、８２、８６、９０、９４、１４０は、カートン１６０の隅部それぞれに、ボトムパネル１０から第２の拡大された高さＨＣ２までカートンの隅部をほぼ封止する役目を果たすガセット８０を有する、内部容積１６３の上部部分を画定する。拡大されたカートン１６０の容積は、従って、上部閉鎖部１５０を開放し、パネル１４０、３２、３４、９０、９４を上向きに伸張させることによって、増加する。
【００３７】
カートン１６０は、カートンが開放され、図１２に示される拡大形態である際、ハンドルパネル１４０内に画定される、補強された多重ハンドル１４４を使用して持ち運ぶことができる。容器Ｃ、ならびに加えられた氷またはその他の冷却物は、カートン１６０によって支持される相当な重量を構成する場合がある。副ブランク６が主ブランク５と重なり合うカートン１６０の２重部分は、カートンに大幅な強度を追加し、カートン内の比較的重い荷重に対しても持ち運べるようにする。副ブランク６によって提供される補強は、カートンの形成において、板の無駄が少ないように、例えば、カートン１６０の補強を必要とする部位を特に対象としてもよい。図示される実施形態では、副ブランク６（図２Ｂ）のパネル１０６、１０４、１０２、１０４、１０６は、一方のハンドパネル１４０から、一方のエンドパネル１１０を下り、ボトムパネル１２０を渡り、反対側のエンドパネル１１０およびハンドルパネル１４０を通って延在する。従って、ユーザがハンドル１４４を使用してカートンを持ち運ぶ際、補強ブランク６は、荷重の大部分を負担するように配置される。
【００３８】
図１３は、カートンの上部がパネル４２、４４、５０によって閉鎖された拡大形態のカートン１６０を図示する。この構造では、パネル３２、３４は、カートン１６０の内部容積の高さがＨＣ３となるように、ほぼ直立に延在する。第３の高さＨＣ３は、第２の高さＨＣ２をわずかに下回ってもよい。第１および第２の上部閉鎖パネル４２、４４をそれぞれ開放しているカートンの上部上に、折り線４１、４３に対して、矢印Ｋの方向に折り曲げることによって、カートンの上部１６０は閉鎖される。上部閉鎖パネル４４の閉鎖フラップ部分５０は、閉鎖用突起５６がほぼ下方に延在するように、折り線５１に対して、矢印Ｌの方向に曲げ返される。閉鎖用突起５６は、下方に移動され、第１の閉鎖パネル４２内の閉鎖用開口４８に押し込まれる。閉鎖用突起５６が閉鎖用開口４８に係合することにより、上部閉鎖パネル４２、４４がカートン１６０の上部に渡る適切な位置に維持される。カートンが、図１３に示されるような、拡大され、かつ閉鎖された構造の場合、ハンドルパネル１４０に画定される、補強された多重ハンドル１４４を使用して、カートン１６０を持ち運ぶことができる。カートンの上部１６０が閉鎖されていることにより、物品が気付かないうちにカートンから落ちる可能性が減少する。
【００３９】
本発明の一態様によると、カートンの高さを第２の高さＨＣ２および第３の高さＨＣ３に増加することによって得られる追加内部容積は、相当な量の、例えば、氷等の冷却媒体、もしくは冷却を必要とする追加の容器またはその他の物品をも収容するために使用することができる。拡大された内部容積を有することに加え、カートン１６０は、図１２に示される、開放拡大形態および図１３に示される閉鎖拡大形態において、依然として、ハンドルパネル１４０によって持ち運ぶことができる。
【００４０】
本発明の一実施形態によると、カートン１６０の内部容積の高さは、図１１に示される高さＨＣ１を有する閉鎖された構造から、図１２に示される高さＨＣ２を有する、開放拡大形態に変更される際、少なくとも１０％増加する。また図１３に示される、拡大され、かつ閉鎖された構造のカートン１６０の内部容積の高さＨＣ３は、閉鎖された構造のカートンの第１の高さＨＣ１を、少なくとも１０％上回り、対応して内部カートン容積も増加する。本発明の別の実施形態によると、高さＨＣ２およびＨＣ３は、第１の高さＨＣ１を少なくとも２５％上回る。
【００４１】
再度図１２を参照すると、本発明の一例示的な態様によると、ガセット８０は、組み立てられたカートン１６０の少なくとも部分的に液密なボトムレセプタクル１６５を部分的に画定してもよい。ボトムレセプタクル１６５の上縁部または上方の境界は、図１２内に破線で示されており、これは、カートン１６０の底部の一部分を成し、その下においては、水またはその他の液体が漏れる可能性のある継ぎ目または接着剤による封止が形成されていない。つまり、第１の実施形態による、カートン１６０から流体が漏れる可能性のある粘着剤封止またはその他の接合は、カートンのボトムレセプタクル１６５の上縁部より下の位置には設けられていない。また、図１および図２Ａを参照すると、従ってボトムレセプタクル１６５は、ブランク８の折り曲げられた材料の連続的な部分から形成されてもよい。その下に接着に継ぎ目が無いレセプタクル１６５の液密部分の高さは、図１２に高さＨＲとして示される。図２Ａを参照すると、高さＨＲは、ガセットパネル８２が湾曲した端部９６に沿ってガセットパネル８４に折り曲げ可能に接続される最高点と、ほぼ一致してもよい。
【００４２】
高さＨＲは、例えば、カートン１６０の高さに応じて画定されてもよい。例えば、図１２および図１３を参照すると、ボトムレセプタクル１６５は、カートン１６０の高さＨＣ１の少なくとも約１５％である、高さＨＲを有する、液密部分を画定してもよい。別の実施形態では、容器１６５の高さＨＲは、カートン１６０の高さＨＣ１の少なくとも約４０％であってもよい。例えば、見込まれる、より大きなまたは小さな液体容量をカートン１６０内に収容するために、ガセット８２、８６の幾何形状を変化させることによって、容器の高さＨＲを増加または減少させてもよい。
【００４３】
所望により、開放した後、追加物品をカートン１６０に置いてもよい。例えば、容器Ｃが飲料容器である場合、容器を冷却するために、容器Ｃの上に氷が置かれ、カートン内に保持される可能性がある。氷が溶ける時、カートン１６０の底のレセプタクル１６５は、溶けた氷から流出する水のすべて、または一部分を保持する役目を果たす。またレセプタクル１６５は、例えば、接着の継ぎ目を通して流出する可能性のある微粒子物質を収容する役目を果たしてもよい。カートン１６０の輸送中または保管中に、１つ以上の容器Ｃが破損する場合、ボトムレセプタクル１６５は、壊れた容器の中身のすべてまたは一部分を保持する役目を果たすことができる。
【００４４】
ブランク８は、例えば、カートン１６０の底の液体が、選択された時間において、ボトムレセプタクル１６５内に留まるように、所望の程度の耐水材料から構成されてもよい。従って、ボトムレセプタクル１６５内に保持される液体が、少なくとも高さＨＲに到達するまで、最初はカートン１６０に留まるように、カートン１６０は構成することができる。
【００４５】
本発明の原理によるカートンは、例えば、板紙等の材料から形成されてもよい。従って、水またはその他の液体に長時間曝される場合、カートンは、カートン材料の部分的な透過性により、濡れたカートンの表面を通って液体が通過することを可能とする場合がある。本明細書では、「液密」という用語は、一般に、材料の連続的な部分、または液体もしくは微粒子物質が通って漏れる可能性のある、いかなる接着の継ぎ目のない部分から形成されるカートンの部分を定義するために使用され、従って「液密」という用語は、長時間に渡って水またはその他の液体へ曝すことにより、時間とともに部分的に水透過性になるカートンを包含する。
【００４６】
上記の実施形態では、カートン１６０は、３×６×１の配置で、１２オンス缶容器を１８個収容しているように記載される。しかしながら、容器、梱包、物品、ならびにその他の品物のその他の配置を、本発明の原理に従って構成されるカートン内に収容することができる。例えば、本発明の原理に従って構成されるカートンは、３×４×１、４×３×１、３×６×１、２×４×１、２×５×１、２×６×１、４×６×１等、および上述構造の多重的な変形等の他の配置の物品を保持するための大きさおよび形状である場合にも、十分に機能する。またブランク８の寸法は、例えば、様々な容器形状を収容するために、変更されてもよい。例えば、本発明の原理に従って構成されるカートン内に、１６オンスのペタロイドボトルが収容されてもよい。
【００４７】
上記に記載の例示的な実施形態では、主および副ブランクは、例えば、クレーコートニュースプリント（ＣＣＮ）、無地無漂白クラフト板紙（ＳＵＳ）、およびその他の材料から形成されてもよい。一般に、ブランクは、例えば、通常の紙より重く、かつ硬くなるように、少なくとも約１４のキャリパを有する板紙から構成されてもよい。またブランクは、ボール紙等のその他の材料、または少なくとも概して上記に記載されるようにカートンが機能できるようにするために適した特性を有する、いずれのその他の材料等から構成することができる。
【００４８】
ブランクは、例えばクレーコーティング等でコートすることができる。次いでクレーコーティングを、製品、広告、およびその他の情報または画像上に印刷してもよい。次いでブランクは、ブランク上に印刷された情報を保護するために、ニスでコートされてもよい。またブランクは、ブランクの片面または両面が、例えば、水分防護層でコートされてもよい。またブランクは、選択されたパネルまたはパネルの部分が、１つ以上のシート様材料でラミネート、あるいはコートされてもよい。
【００４９】
上記の実施形態は、接着剤で互いに接着される１つ以上のパネルを有するように記載されてもよい。「接着剤」という用語は、板紙カートンパネルを固定するために、一般に使用される粘着剤のすべての方法を包含するように意図される。
【００５０】
本明細書で使用される際、「線」という用語は、直線だけではなく、例えば、湾曲した線、曲線的なまたは角度が付いた変位線、もしくは破線等、その他の種類の線も含む。
【００５１】
本発明の例示的な実施形態に従い、折り線は、直線である必要は無いが、それに沿って折り曲げることを助長する、いかなるほぼ直線のブランク内の破断または弱化形状であってもよい。より具体的に、しかし本発明の範囲を狭める目的のためではないが、折り線の例には、スコアライン、クリースライン、所望の弱化線に沿って、材料の部分および／または全体に延在するカットまたは一連のカット、およびこれらの例示的な機能部の様々な連続的および／または重なり合う組み合わせが挙げられる。
【００５２】
図示される実施形態では、選択された折り線は、線に沿って折り曲げることを助長する、スペースカットを含むように示される。カットがカートンのボトムレセプタクル部分の下である、または隣接する場合、漏れを防ぐために、１００％未満のカットが折り線に沿って使用されてもよい。あるいは、カットまたは切り込みを、レセプタクル部分内または近傍から削除してもよい。
【００５３】
本明細書では、「パネル」または「フラップ」は、平坦または平面である必要はない。「パネル」または「フラップ」は、例えば、相互連結される、ほぼ平坦または平面部分を複数個備えることができる。
【００５４】
本明細書に提示される説明目的のために、「破断線」という用語は、例えば、ブランク内に形成されるカットライン、スコアライン、クリースライン、切取線、折り線（またはこれらの様々な連続的および／または重なり合う組み合わせ）を概して参照するために、使用され得る。「破壊可能な」破断線は、カートンの通常使用中に破壊されることが意図される、破断線である。破壊可能な破断線の一例は、切取線である。
【００５５】
本発明の第２の実施形態に従い、トレイまたはその他の作成物が形成される。一例として図１を参照すると、ブランク８は、開放しているトレイ型のカートンを形成するために、パネル３２、３４、４２、４４等、特定の要素を削除することによって修正することができる。
【００５６】
本発明は、例示的な実施形態を参照して上記に記載されてきたが、特許請求の範囲に記載される、本発明の精神及び範囲を逸脱することなく、そこに様々な追加、修正、および変更を行うことができることが、当業者によって理解されるであろう。
【図面の簡単な説明】
【００５７】
【図１】本発明の第１実施形態による、カートンを形成するために使用される多重ブランクを示す平面図である。
【図２Ａ】図１に図示される多重ブランクの主ブランクを示す平面図である。
【図２Ｂ】図１に図示される多重ブランクの副ブランクを示す平面図である。
【図３】図１の多重ブランクが、本発明の第１実施形態によるカートンに形成される、組み立てステップを示す図である。
【図４】図１のブランクの組み立てステップを示す図である。
【図５】図１のブランクの組み立てステップを示す図である。
【図６】図１のブランクの組み立てステップを示す図である。
【図７】図１のブランクの組み立てステップを示す図である。
【図８】図１のブランクの組み立てステップを示す図である。
【図９】図１のブランクの組み立てステップを示す図である。
【図１０】図１のブランクの組み立てステップを示す図である。
【図１１】中に容器を収容した、第１の実施形態による、組み立てられたカートンを示す図である。
【図１２】上部が開放され、カートンの中身の上に氷が注がれた、拡大形態のカートンを示す図である。
【図１３】カートンを拡大形態のまま、カートンの上部を再閉鎖した後のカートンを示す図である。
【図１】
2009535272.tif 000003
【図２Ａ】
2009535272.tif 000004
【図２Ｂ】
2009535272.tif 000005
【図３】
2009535272.tif 000006
【図４】
2009535272.tif 000007
【図５】
2009535272.tif 000008
【図６】
2009535272.tif 000009
【図７】
2009535272.tif 000010
【図８】
2009535272.tif 000011
【図９】
2009535272.tif 000012
【図１０】
2009535272.tif 000013
【図１１】
2009535272.tif 000014
【図１２】
2009535272.tif 000015
【図１３】
2009535272.tif 000016
【国際調査報告】
2009535272.tif 000017
2009535272.tif 000018
2009535272.tif 000019
2009535272.tif 000020